(57)【特許請求の範囲】
【請求項１】
少なくとも一方の側縁に所定の間隔で設けられたガイド孔を有するロールシートと、
前記ロールシートを回転駆動してシートを巻出す駆動手段と、
前記ガイド孔に対応して等間隔に設けられた凸部を有する可動スプロケットローラと、
前記可動スプロケットローラを上下動可能にかつ回転可能に支持すると共に、その上下動を規制するガイドと、
前記ガイドの上下の規制位置にそれぞれ設けられ、前記可動スプロケットローラを検出する検出センサと、
前記検出センサの検出信号に基づいて、前記駆動手段を駆動制御する制御手段とを備えた
ことを特徴とするロールシートの巻出し装置。
【請求項２】
前記ロールシートと可動スプロケットローラとの間に、ガイドローラを固定配置した請求項１に記載のロールシートの巻出し装置。
【発明の詳細な説明】
【０００１】
【発明の属する技術分野】
この発明は、ロール状に巻回されたシートを巻出すロールシートの巻出し装置に関するものである。
【０００２】
【従来の技術】
従来のロールシートの巻出し装置は、例えば図２に示すように構成されている。
このロールシートの巻出し装置１は、ロールシート２を回転駆動してシートを巻出す駆動手段３及びこのロールシート２に隣接して固定配置されたスプロケットローラ４を備えている。
ロールシート２は、駆動手段３の回転軸３ａに対して一体的に回転可能なように固定されており、図示の場合、シートの両側の側縁に沿って、所定間隔に設けられたガイド孔２ａを備えている。スプロケットローラ４は、その周面の両側に、ロールシート２のガイド孔２ａに対応して等間隔に設けられた凸部４ａを備えている。
【０００３】
このような構成のロールシートの巻出し装置１によれば、駆動手段３が動作することにより、その回転軸３ａが矢印方向に回転し、ロールシート２を回動させてロール状に巻回されたシートを巻出させる。そして、スプロケットローラ４は凸部４ａに巻出されたシートの両側のガイド孔２ａを係合することにより、スプロケットローラ４及びガイドローラを介して各種機器にシートを供給するようになっている。
【０００４】
【発明が解決しようとする課題】
上述した従来のロールシートの巻出し装置１においては、スプロケットローラ４を介して供給されるシートの両側の側縁が揃わずに、シートが蛇行してしまうことがある。そこで、シートの蛇行をセンサによって測定し、その測定データに基づいて、図示しない制御手段が駆動手段３を所定寸法だけ軸方向に移動調整することによりシートの蛇行を修正するようにしている。
【０００５】
しかしながら、このような蛇行修正は、以下のような問題がある。
蛇行を検出するセンサの測定位置とロールシート２との間に距離があることから、蛇行寸法に微妙な誤差が生じてしまうと共に、連続供給の際の駆動手段３の軸方向移動調整の同期が実質的に困難である。
また、連続供給の際に、シートを一定速度で供給するためには、ロールシート２の外径の変化に対応させて駆動手段３の回転数を調整する必要がある。
従って、これらの蛇行検出用のセンサ及び駆動手段３の軸方向移動調整装置や回転数調整装置が必要となり、コストが高くなってしまうという問題があった。
【０００６】
この発明は、以上の点に鑑み、駆動手段の軸方向移動調整や回転数調整を必要とせずに簡単な構成によりロールシートから巻出されたシートの蛇行修正を容易に行なうことができるロールシートの巻出し装置を提供することを目的としている。
【０００７】
【課題を解決するための手段】
上記目的は、この発明によれば、少なくとも一方の側縁に所定の間隔で設けられたガイド孔を有するロールシートと、前記ロールシートを回転駆動してシートを巻出す駆動手段と、前記ガイド孔に対応して等間隔に設けられた凸部を有する可動スプロケットローラと、前記可動スプロケットローラを上下動可能にかつ回転可能に支持すると共に、その上下動を規制するガイドと、前記ガイドの上下の規制位置にそれぞれ設けられ、前記可動スプロケットローラを検出する検出センサと、前記検出センサの検出信号に基づいて、前記駆動手段を駆動制御する制御手段とを備えることにより達成される。
【０００８】
上記構成によれば、駆動手段が動作してシートが巻出されることにより、可動スプロケットローラは重力でガイドに沿って下方に移動する。そして、可動スプロケットローラが下方の規制位置に達したとき、センサからの検出信号に基づいて、制御手段が駆動手段を停止させる。駆動手段が停止した後、シートが外部に供給されることにより、可動スプロケットローラはシートの張力でガイドに沿って上方に移動する。そして、可動スプロケットローラが上方の規制位置に達したとき、センサからの検出信号に基づいて、制御手段が駆動手段を再び動作させる。従って、駆動手段の間欠駆動によって間欠的にロールシートから巻出されたシートは、可動スプロケットの上下動により外部に対して一定速度で供給されることになる。このため、ロールシートの外径に応じた駆動手段の回転数調整が不要となる。また、可動スプロケットローラを介して巻出されるシートは、その両側縁の不揃いが吸収されることにより、蛇行の発生が抑制されることになる。これにより、蛇行を測定したり駆動手段の軸方向移動調整が不要となる。
【０００９】
【発明の実施の形態】
以下、この発明の好適な実施形態を添付図を参照しながら詳細に説明する。
尚、以下に述べる実施形態は、この発明の好適な具体例であるから、技術的に好ましい種々の限定が付されているが、この発明の範囲は、以下の説明において特にこの発明を限定する旨の記載がない限り、これらの形態に限られるものではない。
【００１０】
図１は、この発明によるロールシートの巻出し装置の実施形態を示している。このロールシートの巻出し装置１０は、ロール状に巻回されたシート１１を回転駆動してシート１１ａを巻出す駆動手段としてのモータ１２と、ロールシート１１から巻出されたシート１１ａが順次に巻付けられる第１のガイドローラ１３、可動スプロケットローラ１４、第１の固定スプロケットローラ１５、第２のガイドローラ１６及び第２の固定スプロケットローラ１７と、可動スプロケットローラ１４を上下動可能に支持するガイド１８と、ガイド１８の上方及び下方にそれぞれ設けられた上限センサ１９及び下限センサ２０とを備えている。
さらに、上限センサ１９からの検出信号が入力されたとき、モータ１２を動作させると共に、下限センサ２０からの検出信号が入力されたとき、モータ１２を停止させるように、モータ１２の駆動制御を行なう制御手段２１を備えている。
【００１１】
ロールシート１１は、駆動手段１２の回転軸１２ａに対して一体的に回転可能なように固定されており、図示の場合、シート１１ａの両側の側縁に沿って、所定間隔に設けられたガイド孔１１ｂを備えている。
ガイドローラ１３及び１６は、モータ１２の停止によりシート１１ａが止まったとき、シート１１ａの張力維持を補助してシート１１ａを円滑に供給するためのアイドラーである。
可動スプロケットローラ１４は、ガイド１８に沿って上下方向に自由に移動可能なように支持されており、その周面の両側に、シート１１ａのガイド孔１１ｂに対応して等間隔に設けられた凸部１４ａを備えている。
【００１２】
固定スプロケットローラ１５、１７は、可動スプロケットローラ１４を介して供給されるシート１１ａのガイド孔１１ｂに係合してシート１１ａの送りを行なう凸部１５ａ、１７ｂを備えている。
ガイド１８は、図示の場合、可動スプロケットローラ１４の回転軸の両端を前後方向から挟持することにより、可動スプロケットローラ１４を上下動可能に支持する案内である。
上限センサ１９及び下限センサ２０は、それぞれガイド１８における可動スプロケットローラ１４の上限位置及び下限位置を検出する電気的手段、光・磁気的手段あるいは機械的手段である。
【００１３】
このような構成のロールシートの巻出し装置１０によるロールシート１１からのシート１１ａの巻出しは、以下のようにして行なわれる。
先づ、例えば文字、絵柄等が印刷されたシート１１ａが巻回されたロールシート１１を、モータ１２の回転軸１２ａに装着すると共に、ロールシート１１のシート１１ａ端部を、ガイドローラ１３、可動スプロケットローラ１４、固定スプロケットローラ１５、ガイドローラ１６及び固定スプロケットローラ１７を介して外部に導き、例えば下流駆動部（図示せず）に装着する。
【００１４】
この状態から、制御手段２１は、モータ１２を動作させてロールシート１１を矢印Ａ方向に回転駆動させ、シート１１ａを巻出させる。可動スプロケットローラ１４は、シート１１ａの巻出しに伴って矢印Ｂ方向に回転しながら、自重によりガイド１８に沿って下方に移動する。その際、シート１１ａに蛇行が発生すると、可動スプロケットローラ１４が左右に揺動しながら下降することにより、この蛇行を吸収する。
そして、可動スプロケットローラ１４がガイド１８の下限位置に達すると、下限センサ２０が可動スプロケットローラ１４を検出して、検出信号を制御手段２１に送出する。これにより、制御手段２１は、モータ１２を停止させる。
【００１５】
このとき、シート１１ａは外部の下流駆動部により一定速度で固定スプロケットローラ１５、１７を介して供給されているので、モータ１２が停止すると、可動スプロケットローラ１４は、シート１１ａの供給に伴って矢印Ｂ方向に回転しながら、シート１１ａの張力によりガイド１８に沿って上方に移動する。ここで、固定スプロケットローラ１５、１７は、シート１１ａに張力が発生することにより、シート１１ａを確実に巻付けるようになっている。
そして、可動スプロケットローラ１４がガイド１８の上限位置に達すると、上限センサ１９が可動スプロケットローラ１４を検出して、検出信号を制御手段２１に送出する。これにより、制御手段２１は、モータ１２を再び動作させる。
【００１６】
以上のように、可動スプロケットローラ１４の上流側では、モータ１２の間欠動作によって、シート１１ａがロールシート１１から間欠的に巻出されることになり、他方可動スプロケットローラ１４の下流側では、可動スプロケットローラ１４のガイド１８に沿う上下動によって、シート１１ａは固定スプロケットローラ１５、１７を介して一定速度で供給されることになる。
従って、シート１１ａに発生する蛇行が吸収されるので、蛇行修正のための蛇行検出センサやモータ１２の軸方向移動調整手段が不要になると共に、ロールシート１１の外径の変化に応じたモータ１２の回転数調整手段も不要となり、簡単な構成によって、コストを低減することができる。
【００１７】
尚、上記実施形態においては、ガイドローラ１３、１６及び第２のスプロケットローラ１７は、シート１１ａの供給を円滑に行なうためのものであり、省略された構成としても良い。
また、ロールシート１１のシート１１ａは、その両側の側縁にガイド孔１１ｂを備えており、これに対応して、スプロケットローラ１４、１５、１７は、それぞれの両側に凸部１４ａ、１５ａ、１７ａを備えているが、これに限らず、一側の側縁にのみガイド孔を備えたシートを巻回したロールシートの場合にも適用することができる。
【００１８】
【発明の効果】
以上述べたように、この発明によれば、駆動手段の軸方向移動調整や回転数調整を必要とせずに簡単な構成によりロールシートから巻出しされたシートの蛇行修正を容易に行なうことができる。
【図面の簡単な説明】
【図１】この発明によるロールシートの巻出し装置の実施形態を示す概略斜視図。
【図２】従来のロールシートの巻出し装置の一例を示す概略斜視図。
【符号の説明】
１０・・・ロールシートの巻出し装置、１１・・・ロールシート、１１ａ・・・シート、１１ｂ・・・ガイド孔、１２・・・モータ、１２ａ・・・回転軸、１３，１６・・・ガイドローラ、１４・・・可動スプロケットローラ、１４ａ・・・凸部、１５、１７・・・固定スプロケットローラ、１８・・・ガイド、１９・・・上限センサ、２０・・・下限センサ、２１・・・制御手段
【図１】
0003697799.tif 000002
【図２】
0003697799.tif 000003